(57)【特許請求の範囲】
【請求項１】
ユニフォーム（１）の胸など表側から目立つ位置に配して横長方形をした透明軟質合成樹脂材（１０）の周縁部分を連続して固着して設けた固定部（１１）により該透明軟質合成樹脂材（１０）とユニフォーム（１）との間に収容部（１２）を設け、前記収容部の裏面部に取出口（１３）を上下方向に形成し、該収容部（１２）の裏面部に設けた前記取出口（１３）から、表面に名前（１９）などを印刷して前記収容部より一回り小さく形成した軟質合成樹脂材からなるネームカード（２０）を出入可能に収容してなることを特徴とするユニフォームの名札。
【請求項２】
前記取出口（１３）は、前記収容部（１２）の裏面の一側位置に上下方向に細巾に形成し、該取出口の縁部分に補強部（１４）を設けてなることを特徴とする請求項第１記載のユニフォームの名札。
【請求項３】
前記取出口（１３）の中間位置には、前記収容部の中央側一側に切込部（１５）を形成して略Ｔ字型をした第２取出口（１６）を設け、該第２取出口の縁部分を前記補強部と一体に第２補強部（１４ａ）を設けてなることを特徴とする請求項第２項記載のユニフォームの名札。
【請求項４】
ユニフォーム（１）の胸部分に設けた胸ポケット（２２）の前面部（２３）に、横長方形をした透明軟質合成樹脂材（１０）の周縁部分を、連続して縫着して設けた固定部（１１）により該透明軟質合成樹脂材（１０）とユニフォームとの間に収容部（１２）を設け、前記収容部の裏面部の一側に、軟質合成樹脂材からなるネームカード（２０）の上下巾と略同じ長さで細巾をした取出口（１３）を上下方向に形成すると共に、前記胸ポケット（２２）の内部に位置させて該収容部（１２）の裏面部に設けた前記取出口（１３）から、表面に名前（１９）などを印刷して前記収容部より一回り小さく形成した前記ネームカード（２０）を出入可能に収容してなることを特徴とするユニフォームの名札。
【請求項５】
前記胸ポケット（２２）は、前記ユニフォーム（１）の表面に設けた該胸ポケットの開口部（２２ａ）の上部を覆うように蓋部片（２２ｂ）を設け、該開口部（２２ａ）を該蓋部片（２２ｂ）の内側上部に位置して設けてなることを特徴とする請求項４記載のユニフォームの名札。
【請求項６】
前記胸ポケット（２２）は、前記ユニフォーム（１）の表面に設けた該胸ポケットの開口部（２２ａ）の上部を覆うように蓋部片（２２ｂ）を設け、該開口部２２ａに開閉可能にファスナー等の止具を設けてなることを特徴とする請求項４記載のユニフォームの名札。
【発明の詳細な説明】
【技術分野】
【０００１】
本発明は、各種のユニフォームや作業着などの所望位置にネームカードを保持するユニフォームの名札に関するものである。
【背景技術】
【０００２】
従来、職場で仕事を行う場合に着用するユニフォームや作業着に名札を取付ける場合、人の目に触れやすい胸や腕の肩付近に取付けている。そして、表面に名前などを印刷した名札片の裏面や上部に装着した安全ピンなどの装着手段を用いて作業着の胸部分など目立つ位置に取付ける型式のものがあった（特許文献１、参照）。
【０００３】
さらに、図７に示すように、作業着やユニフォーム１の胸の上方個所などに透明軟質合成樹脂部材２を、挿通口３を残してその周回部を縫着した縫着線４で取付けて縫合領域５を形成し、この縫合領域５に前記挿通口３より幅が大きく且つ表面に名前などを印刷し、その上面を透明フイルム８を接着して設けた軟質合成樹脂製の名札片９を挿入した作業着の名札に関するものがある（特許文献２、参照）。
【特許文献１】特開２０００−１２３１７７号公報
【特許文献２】特開平５−２３６７号公報
【発明の開示】
【発明が解決しようとする課題】
【０００４】
従来の名札は、安全ピンなどの止金具を用いて作業着の胸などに取付ける型式の場合には、作業着の胸部分から前方に突出しているため、外部の物等に引っかかり易く、この名札片が落下しやすい。しかもユニフォームを着用して様々な作業を行うため汚れるので定期的に洗濯する必要があり、洗濯を行うたびに、安全ピンを操作して名札を取り外したり付け直したりするため、該安全ピンが経時的に劣化して破損したり弛んだりして作業着から名札が外れて落下する可能性があった。その場合、該名札は作業中の例えば食品材料中や清涼飲料液などに混入するおそれがあった。
【０００５】
さらに、作業着の胸の位置に取付けた透明軟質合成樹脂材２の周囲部分を、挿通口３を除いて、その周回部分を縫着する縫着線４で形成した縫合領域５の内部に名札片９を収容し、この挿通口３から名札片９の出し入れを行っている。即ち、名札片９を縫合領域５の内部に挿通口３から出し入れするため、この名札片９の上下巾よりやや短く形成した挿通口３の下側に位置する縫着線４の部分に、外部への脱出を防止するストッパー部６を形成してあるので、縫合領域５内の名札片９は挿通口３からは外部に脱出することはない。
【０００６】
しかし、方形をした透明軟質合成樹脂材２の内部に設けた縫合領域５に収容する名札片９を出し入れするために、該縫合領域に残存して形成する固定部の途中に、挿通口３を設ける為の残存部を設ける必要があり、この残存部は、挿通口３の上下巾が名札片９の上下巾よりやや短く形成して簡単に脱出できないようにしてある。そのため、前記透明樹脂材の周縁部分を縫着する場合、途中で停止して挿通口３となる残存部を設けてから、再び縫着作業を行わなければならない為、縫着作業に手数がかかると共に残存部の長さを調節するのに手間がかかるという欠点を有していた。
【０００７】
さらに、品物を胸に抱えて作業を行ったり、挿通口３を有した透明軟質合成樹脂材２が気温や室温の上昇などで軟化したり、或いは、名札片が折れたり丸まったりした場合には、ストッパー部６を通過して挿通口３から外部に脱出する可能性がある。この挿通口３から外部に脱出した名札片９は、作業着の表面外側に沿って落下し、例えば食品材料などを収容した容器の中に混入するおそれがある。この場合、名札が不明になって食品材料中に混入したかもしれないおそれのある場合には、製造ラインを停止して名札などを見つけるまで作業を中断しなければならず、生産性を低下させるという問題点を有していた。
【０００８】
本発明は、上記のような欠点を除去する為、ネームカードを出し入れする取出口をユニフォームの表側でなく裏面部に設け、たとえ取出口からネームカードが外部に脱出しても、ユニフォームの裏面を通って落下するようにし、ユニフォームの表側をネームカードが落下するのを確実に防止することを目的とするものである。
【課題を解決するための手段】
【０００９】
上記課題を解決するために、請求項１の発明は、ユニフォーム１の胸など表側から目立つ位置に配して横長方形をした透明軟質合成樹脂材１０の周縁部分を、連続して固着して設けた固定部１１により該透明軟質樹脂材とユニフォームとの間に収容部１２を設け、前記収容部の裏面部に軟質合成樹脂材からなるネームカード２０の取出口１３を上下方向に形成し、該収容部１２の裏面部に設けた前記取出口１３から、表面に名前１９などを印刷して前記収容部より一回り小さく形成した前記ネームカード２０を出入可能に収容してなることを特徴とする。
上記のように、ユニフォームの表側にネームカード出入用の取出口を設けていないため、ネームカードとユニフォームの表側に脱出して落下することがない。また、ネームカードを収容した収容部の裏面に設けた取出口から外部に脱出したとしても、該ネームカードはユニフォームの裏側を落下する為、作業中の食品材料などの中に混入する事故の発生を防止する作用を有している。
【００１０】
また、前記取出口１３は、前記収容部１２の裏面部の一側位置に細巾に形成し、該取出口の縁部分に補強部１４を設けてあるので、該ユニフォームを繰り返し洗濯しても、該取出口の縁部分が経年劣化によりほつれるのを防止する作用を有している。
【００１１】
さらに、前記取出口１３の中間位置には、前記収容部の中央側一側に切込部１５を形成して略Ｔ字型をした第２取出口１６を設け、該第２取出口の縁部分を前記補強部と一体に連続して第２補強部１４ａを設けてなることを特徴とする。
特に、新しいユニフォームは布地に洗濯のりが付いていて硬かったり、また名札の軟質合成樹脂材が一時的に硬い場合には出し入れ難いため、細巾の取出口１３の中間部分に端部方向に向かって切込部１５を設けて略Ｔ字型に形成してあるので、この切込部の両側に位置する三角部片１５ａ、１５ａを持ち上げて広げてネームカードの出し入れを容易にできる。しかも、前記と同様に取出口の縁部分と共に、切込部の縁部分に第２補強部１４ａを形成してあるので、この切込部が早い時期に糸がほつれるのを防ぎ、略Ｔ字型をした第２取出口１６の耐久性を高める作用を呈する。尚、この切込部１５は前記取出口１３より細巾に形成してもよい。
【００１２】
ユニフォーム１の胸部分に設けた胸ポケット２２の前面部２３に、前記横長方形をした透明軟質合成樹脂材１０の周縁部分を、連続して固着して設けた固定部１１により該透明軟質合成樹脂材１０とユニフォームとの間に収容部１２を設け、前記収容部の裏面部の一側に、軟質合成樹脂材のネームカード２０の上下巾と略同じ長さをして細巾をした取出口１３を上下方向に形成すると共に、前記胸ポケット２２ａの内部に位置して該収容部１２の裏面部に設けた前記取出口１３から、表面に名前１９などを印刷して前記収容部より一回り小さく形成した前記ネームカード２０を出入可能に収容してなることを特徴とする。
このように、胸ポケット２２の前面部分に名札２５を設ければ、収容部１２の裏面に設けた取出口１３からネームカード２０が脱出した場合でも、該取出口１３は胸ポケット２２の内部に連通するように開口してあるので、この胸ポケット２２内に名札が脱出しても収容されるため、ユニフォームの表側を該ネームカードが脱出落下するのを確実に防止する作用を有している。
【００１３】
さらに、前記胸ポケット２２は、前記ユニフォームの表面に設けた該胸ポケットの開口部２２ａの上部を覆うように横長に蓋部片２２ｂを設け、該開口部２２ａを該蓋部片２２ｂの裏面上部に設けてある。そのため、胸ポケットの開口部２２ａは、常に蓋部片２２ｂで覆われているので、たとえ開口部２２ａを下方に位置させても該開口部は蓋部片２２ｂで覆われて閉じられているため、前記胸ポケット内に名札がたとえ収容していたとしても、該名札が前記開口部２２ａの外部に脱出して落下することがない。
【００１４】
また、必要に応じて該開口部２２ａに開閉可能にファスナーを装着してあれば、胸ポケット内に位置した名札などが、該開口部２２ａから外部に脱出するのを確実に防止することが出来る。この場合、ファスナーに限らず、開口部２２ａに面ファッスナーやボタンやスナップなどの止具を用いて開閉可能に止着しても良いことは勿論である。
【発明の効果】
【００１５】
上記のように、本発明は、ユニフォームの表側に取付ける透明軟質合成樹脂材の周縁部分には、ネームカード出入用の取出口を設けてないので、該カードがユニホームの表側を脱出落下するおそれはなく、そのため、作業中の材料などの中に名札が混入するおそれがないので安心して作業を行うことができる。
【発明を実施するための最良の形態】
【００１６】
本発明の実施形態を図面に基づいて説明する。図１は、本発明に係る名札を有したユニフォームの正面図、図２は、名札部分の拡大正面図、図３は、図２のＡ−Ａ線方向断面図、図４は、名札部分の拡大裏面図である。本発明に係るネームカードを保持する構造は、各種のユニフォームの胸部分や腕の上部の肩部分など目立つ位置に設けてある。
【００１７】
このユニフォーム１の胸の上方部分に、横長の方形に形成した公知の薄板状の透明な軟質合成樹脂材１０の周縁部分をミシンで縫着などして形成した固定部１１により固着してある。そして、該透明軟質合成樹脂材１０の内面とユニフォーム表面との間に、周囲を連続して設けた固定部１１によって周囲を閉鎖した収容部１２を設けてある。このユニフォーム表側の胸部分に設けた固定部１１によって固定した該透明軟質合成樹脂材１０の内部に収容部１２を形成し、該収容部の裏側位置であるユニフォーム１の裏面に取出口１３を設けてある。ここで、ユニフォームとは、作業着だけでなく、制服など各種のユニフォームを意味している。さらに、ユニフォームは主として布製品であるが、化学繊維からなるものでもよい。そのため、取出口１３の周囲がほつれるのを防ぐ為に、ステッチ加工したり、或いは、加熱処理や薬品を含侵させることにより硬化させて繊維がほつれないように補強部を設けてある。
【００１８】
この取出口１３は、収容部１２の中間位置でもよいが、前記合成樹脂材が新しいために一時的に硬化して湾曲し難い場合には大きい半径に湾曲することはできても、小さい半径に湾曲させることは困難であるので、左右何れか一側部分に、細巾の取出口を上下方向に形成してある。そして、該収容部１２の一側部分に設けた取出口１３と、内部に収容部１２を設けた前記軟質合成樹脂材１０の一端部との間に存する細巾面部１３ａは、ある程度の巾部分を有しないと強度が劣化して、収容部内に収容したネームカードの端部が前記細巾面部１３ａを押し広げるおそれがあり、ネームカードの端部によって押し広げられない程度の強度を有するように一定巾をした細巾面部１３ａを設けてある。これにより、前記合成樹脂材の一方の端部を該細巾面部で保持することができる。勿論、反対側の広い平面部分である広幅面部１３ｂは、前記ネームカードの反対側を保持している。
【００１９】
この取出口１３の縁部分は、ユニフォームが布製の場合には、糸でかがって縁取り加工（ステッチ加工）、即ち、ボタンホール加工を施して、取出口１３が時間の経過と共に糸がほつれないように補強部１４を設けてある。また、化学繊維の場合は、熱加工したり薬品加工することによりこの取出口１３の周囲を補強してもよい。さらに、取出口１３の上下方向の長さは、後記するネームカード２０の上下巾と略同じか、やや短く形成して脱出し難いようにしてあるが、該ネームカードは柔軟性を有するので挿入時には丸めることが可能なため、該ネームカードの上下の長さに対してこの取出口１３の上下方向の長さは、同じ長さかあるいはやや短い長さが好ましい。
【００２０】
２０は、可撓性を有した軟質合成樹脂材からなるネームカードで、表面には会社名や部課名や名前１９などを印刷してある。そしてこのネームカードは２０は、前記収容部より一回り小さくして該収容部１２内に出し入れを容易にしてある。その上、ユニフォームの表面に取り付ける透明軟質合成樹脂材１０の周囲には、取出口１３を設ける必要がないので縫着等の固着作業を連続して行うことが出来るため作業能率を向上させることができる利点がある。そして、ユニフォーム１に取り付けた透明合成樹脂材１０の内部にネームカード２０を収容してユニフォ−ムに名札２５を設けてある。
【００２１】
本発明の第２の実施形態について図５に基づいて説明すると、例えば、新しいユニフォームなどの場合は、ネームカードやユニフォームが硬いため、収容部１２の裏面に設けた取出口１３からネームカード２０を出し入れする場合に困難な場合があるので、ユニフォームの生地などに応じて取出口１３の上下方向の中間位置あって、該収容部の中央側一側に水平に短い切込部１５を連続して設けて，恰も横向きＴ字型に形成してもよい。この切込部１５を設けることにより其の両側に位置して形成された三角片１５ａ、１５ａは前記取出口１３の切込部１５の両側に位置する頂点部分１７、１７を持ち上げることにより、取出口１３を大きく開くことのできる第２取出口１６を設けることができるので、ネームカードの出し入れが容易となる。この取出口１３および切込部１５の縁部分は前記と同様にステッチ加工や熱処理加工や薬品処理加工などにより第２補強部１４ａを形成すれば耐久性が一段と向上する利点がある。
【００２２】
ユニフォームの裏面であって、収容部１２の裏面部に設けた取出口１３に連通してその下方位置に胸ポケット２２を形成すれば、たとえ、取出口１３からネームカード２０がユニフォームの裏側に脱出しても該胸ポケット２２内に収容されるので、ネームカードがユニフォームの裏側を下方に落下することを防止できる。同様に、図６に示すように、ユニフォームの胸ポケット２２の前面部２３に、前記透明軟質合成樹脂材１０を取付けて設けた収容部１２の裏面の一側に取出口１３、１６を設けてあれば、たとえ該取出口からネームカード２０が脱出して、該胸ポケット２２内に収容され、該ネームカードがユニフォームの裏側および表側を下方に落下するのを防止できる作用を有する。
【００２３】
この場合、図１に示すように、胸ポケット２２の上部に設けた開口部２２ａの表側を覆うように、細巾の蓋部片２２ｂを設けてあれば、作業者が前かがみした場合であって、たまたま名札が胸ポケット内に収容していた場合でも、該開口部２２ａはこの蓋部片２２ｂの内部に位置しているので、胸ポケットの開口部から脱出するおそれはないし、さらに開口部にファスナー等の開閉可能な止め具を設ければ、より確実に胸ポケットからのネームカードなどの脱出を防ぐことができる。
【図面の簡単な説明】
【００２４】
【図１】本発明に係る名札を有したユニフォームの正面図である。
【図２】名札部分の拡大正面図である。
【図３】図２のＡ−Ａ線方向断面図である。
【図４】名札部分の拡大裏面図である。
【図５】第２実施形態の名札部分の拡大裏面図である。
【図６】ユニフォームの胸ポケットの前面部に取付けた名札部分の正面図である。
【図７】従来の名札部分の正面図である。
【符号の説明】
【００２５】
１      ユニフォーム
１０      透明軟質合成樹脂材
１１      固定部
１２      保持部
１３      取出口
１３ａ    細巾面部
１４      補強部
１４ａ    第２補強部
１５      切込部
１６      第２取出口
１９      名前
２０      ネームカード
２２      胸ポケット
２２ａ    開口部
２２ｂ    蓋部片
２３      前面部
２５      名札
【図１】
0004769637.tif 000002
【図２】
0004769637.tif 000003
【図３】
0004769637.tif 000004
【図４】
0004769637.tif 000005
【図５】
0004769637.tif 000006
【図６】
0004769637.tif 000007
【図７】
0004769637.tif 000008